(57)【要約】【課題】作業ミスを修正する作業を簡単にする。【解決手段】万が一、閉塞部材１９を雌ねじ筒挟持片２０を利用して雌ねじ筒１３に取り付けた状態にして閉塞部材１９を戸じゃくり溝１１に嵌める作業を忘れても、前後の雌ねじ筒抱持片２０の間が雌ねじ筒１３に対向するようにして閉塞部材１９を縦枠材３の戸じゃくり溝１１に嵌めた後、閉塞部材１９を設定値以上の力で雌ねじ筒１３側に移動させて、雌ねじ筒抱持片２０により雌ねじ筒１３を抱持させることが出来る。【選択図】　図３
2004124616.tif 000002
【特許請求の範囲】
【請求項１】
戸じゃくり溝を有する縦枠材と、縦枠材の端部に端面が当接された横枠材と、横枠材の端部に戸じゃくり溝に突出する状態で設けられた、軸心を左右方向に向けたねじ孔を有する雌ねじ筒と、雌ねじ筒に縦枠材に形成された左右方向に貫通するねじ挿通孔を通じて縦枠材の外方からねじ嵌められたねじとを有する引き戸用枠の角部構造であって、横枠材の端面と戸じゃくり溝の内周面とによって形成される間隙に閉塞部材が嵌められるようになされ、この閉塞部材は前後方向に所定間隔をあけた弾性を有する前後一対の雌ねじ筒抱持片を有しており、前後の雌ねじ筒抱持片の間が雌ねじ筒に対向するようにして閉塞部材を縦枠材の戸じゃくり溝に嵌めた後、閉塞部材を設定値以上の力で雌ねじ筒側に移動させて、雌ねじ筒抱持片により雌ねじ筒を抱持させるようにした引き戸用枠の角部構造。
【発明の詳細な説明】
【０００１】
【発明の属する技術分野】
本発明は引き戸用枠の角部構造に関する。
【０００２】
【従来の技術】
従来、この種の引き戸用枠の角部構造として以下の如きものは知られている。戸じゃくり溝を有する縦枠材と、縦枠材の端部に端面が当接された横枠材と、横枠材の端部に戸じゃくり溝に突出する状態で設けられた、軸心を左右方向に向けたねじ孔を有する雌ねじ筒と、横枠材の端面と戸じゃくり溝の内周面とによって形成される間隙に嵌められた、雌ねじ筒が嵌まる貫通孔を有する閉塞部材と、雌ねじ筒に縦枠材に形成された左右方向に貫通するねじ挿通孔を通じて縦枠材の外方からねじ嵌められたねじとを有するものは知られている（特許第３２８２９４９号公報参照）。
【０００３】
【従来技術の欠点】
前記従来の引き戸用枠の角部構造には以下の如き欠点があった。
閉塞部材を貫通孔を利用して雌ねじ筒に嵌めるようにして戸じゃくり溝に嵌める作業を忘れて、雌ねじ筒にねじ挿通孔を通じて縦枠材の外方からねじをねじ嵌めてしまうと、ねじを外して縦枠材と横枠材とを分離しない限り閉塞部材を戸じゃくり溝に嵌めることが出来ないので、作業ミスを修正するのに手間と時間とを浪費するという欠点があった。
【０００４】
【前記欠点を解消するための手段】
本発明は前記欠点を解消するために以下の如き手段を採用した。
請求項１の発明は、戸じゃくり溝を有する縦枠材と、縦枠材の端部に端面が当接された横枠材と、横枠材の端部に戸じゃくり溝に突出する状態で設けられた、軸心を左右方向に向けたねじ孔を有する雌ねじ筒と、雌ねじ筒に縦枠材に形成された左右方向に貫通するねじ挿通孔を通じて縦枠材の外方からねじ嵌められたねじとを有する引き戸用枠の角部構造であって、横枠材の端面と戸じゃくり溝の内周面とによって形成される間隙に閉塞部材が嵌められるようになされ、この閉塞部材は前後方向に所定間隔をあけた弾性を有する前後一対の雌ねじ筒抱持片を有しており、前後の雌ねじ筒抱持片の間が雌ねじ筒に対向するようにして閉塞部材を縦枠材の戸じゃくり溝に嵌めた後、閉塞部材を設定値以上の力で雌ねじ筒側に移動させて、雌ねじ筒抱持片により雌ねじ筒を抱持させるようにしたものである。
【０００５】
【発明の効果】
本発明は前記した如き構成によって以下の如き効果を奏する。
請求項１の発明によれば、万が一、閉塞部材を雌ねじ筒挟持片を利用して雌ねじ筒に取り付けた状態にして閉塞部材を戸じゃくり溝に嵌める作業を忘れても、前後の雌ねじ筒抱持片の間が雌ねじ筒に対向するようにして閉塞部材を縦枠材の戸じゃくり溝に嵌めた後、閉塞部材を設定値以上の力で雌ねじ筒側に移動させて、雌ねじ筒抱持片により雌ねじ筒を抱持させることが出来るので、即ち、閉塞部材の後付けが容易に出来るので、作業ミスを修正する作業が行いやすい。
【０００６】
【発明の実施の形態】
以下に本発明の実施の形態を説明する。
なお、この説明において、前とは図１紙面表側を、後とは同裏側をいい、左とは図１左側を、右とは同図右側をいう。
【０００７】
引き戸用枠１は、左右一対の縦枠材３と、これら縦枠材３の下端部の相互対向面（左側の縦枠材３の下部右面と右側の縦枠材３の下部左面）に渡された敷居４と、前記縦枠材３の上端部の相互対向面に渡された鴨居５とを有している。前記敷居４の前後一対の引き戸用案内溝（図示略）及び鴨居５の前後一対の引き戸用案内溝９（図３参照）に前後一対の引き戸（図示略）が左右動自在に案内されている。
【０００８】
前記縦枠材３に、閉じた状態の引き戸の端部を嵌めるための戸じゃくり溝１１が上下全長に渡って形成されている。
【０００９】
図２及び図３に示すごとく、鴨居５の右端部に前後一対の雌ねじ筒１３が設けられている。雌ねじ筒１３には軸心を左右方向に向けたねじ孔１３ａが形成されている。
【００１０】
前側の雌ねじ筒１３の右端部は、戸じゃくり溝１１に突出すると共に縦枠材３に形成された左右方向に貫通するねじ挿通孔１４に嵌められている。他方、後側の雌ねじ筒１３の右端部はねじ挿通孔１４に嵌められている。要するに、右側の縦枠材３には前側のみに戸じゃくり溝１１が形成されているから上記のごとき構成になる。
【００１１】
前記雌ねじ筒１３に、ねじ挿通孔１４を通じて縦枠材３の外方からねじ１５がねじ嵌められている。このような構成により、右側の縦枠材３の上部と鴨居５の右端部とが連結されている。
【００１２】
前記鴨居５の端面と戸じゃくり溝１１の内周面とによって形成される間隙１８に閉塞部材１９が嵌められるようになされている。この閉塞部材１９は、前部に前後方向に所定間隔をあけた前後一対の弾性を有する雌ねじ筒抱持片２０を有している。また、閉塞部材１９は、前後を入れ替えるべく上下方向に１８０度回転させた場合や、前後を入れ替えるべく水平方向に１８０度回転させた場合に、雌ねじ筒抱持片２０と同様の作用をなす前後一対の弾性を有する雌ねじ筒抱持片２１を後部に有している。図３で明らかなごとく、雌ねじ筒抱持片２０の内の後側のものと雌ねじ筒抱持片２１の内の前側のものとは相互に繋がっている。雌ねじ筒抱持片２０、２１には、雌ねじ筒１３を抱え込んだ後において雌ねじ筒１３から外れるのを阻止する爪２２が形成されている。即ち、雌ねじ筒１３の直径より僅かに短い間隙をあけて対向する前後一対の爪２２は、それらの間に雌ねじ筒１３を位置させた後、閉塞部材１９に雌ねじ筒１３が爪２２の間を通過する方向の所定値以上の力を加えると、雌ねじ筒１３を通過し、その後、自ら及び雌ねじ筒抱持片２０、２１の弾性により元の状態に復帰して、雌ねじ筒１３から雌ねじ筒抱持片２０、２１が外れるのを阻止するようになされている。
【００１３】
前記閉塞部材１９は、垂直板状の本体１９ａと縁部のリブ１９ａとより構成されているが、単なる板であってもよい。また、閉塞部材１９の前後幅は戸じゃくり溝１１の前後幅に等しく、閉塞部材１９の左右方向の厚みは戸じゃくり溝１１の深さに等しく、閉塞部材１９の高さ（雌ねじ筒抱持片２０を含んだ全体高さ）は、引き戸用案内溝９の上面と鴨居５の上面との間の高さに等しくなされている。
【００１４】
前後の雌ねじ筒抱持片２０の間が前側の雌ねじ筒１３に対向するようにして閉塞部材１９を縦枠材３の戸じゃくり溝１１に嵌めた後、閉塞部材１９を設定値以上の力で雌ねじ筒１３側に移動させて、雌ねじ筒抱持片２０により雌ねじ筒１３を抱持させることにより、閉塞部材１９を間隙１８に挿入・固定させることが出来る。
なお、閉塞部材１９を雌ねじ筒抱持片２０を利用して雌ねじ筒１３に取り付けた後、縦枠材３と鴨居５とを突き当て、その後、ねじ１５を雌ねじ筒１３にねじ嵌めるようにするのが、組み立て作業の原則的であることを明らかにしておく。
【００１５】
前記鴨居５の左部と左側の縦枠材３との連結構造は、鴨居５の右部と右側の縦枠材３とのそれと同様であるので図示は省略する。なお、左側の縦枠材３には、後部に戸じゃくり溝１１があることは云うまでもない。
【００１６】
図４及び図５には、敷居４の右部と右側の縦枠材３との連結状態が示されている。これら図４及び図５によりその構造は明らかであるので、詳細な説明は省略する。
【００１７】
前記敷居４の左部と左側の縦枠材３との連結構造は、敷居４の右部と右側の縦枠材３とのそれと同様であるので図示は省略する。
【００１８】
【変形例等】
以下に変形例等について説明を加える。
（１）敷居４及び鴨居５が請求の範囲で云う横枠材である。
（２）縦枠材３、敷居４、鴨居５及び閉塞部材１９の素材は任意である。閉塞部材１９は一般的には弾性を有する合成樹脂製である。
（３）雌ねじ筒抱持片の形状は任意である。
（４）ねじにはボルトも含まれる。
【図面の簡単な説明】
【図１】本発明の実施の形態を示す中間省略の正面図である。
【図２】図１のＡ部分の拡大断面図である。
【図３】図２のＩＩＩ−ＩＩＩ線に沿う一部破砕の断面図である。
【図４】図１のＢ部分の拡大断面図である。
【図５】図４のＶ−Ｖ線断面図である。
【符号の説明】
１　引き戸用枠
３　縦枠材
４　敷居（横枠材）
５　鴨居（横枠材）
９　引き戸用案内溝
１１　戸じゃくり溝
１３　雌ねじ筒
１３ａ　ねじ孔
１４　ねじ挿通孔
１５　ねじ
１８　間隙
１９　閉塞部材
２０　雌ねじ筒抱持片
２１　雌ねじ筒抱持片
【図１】
2004124616.tif 000003
【図２】
2004124616.tif 000004
【図３】
2004124616.tif 000005
【図４】
2004124616.tif 000006
【図５】
2004124616.tif 000007